(57)【要約】【課題】第１出力系統と、第２出力系統と、を有する音声処理装置において、音声処理装置の性能を最大限利用可能とすること。【解決手段】ＡＶレシーバー１は、メイン出力系統と、Ｚｏｎｅ２出力系統と、を有する。ＡＶレシーバー１は、ＳＰＤＩＦ信号を、Ｉ２Ｓ信号に変換するＤＩＲ６と、ＳＰＤＩＦ信号を、Ｉ２Ｓ信号に変換する、ＤＩＲ６よりも性能が劣るＤＩＲ７と、ＤＩＲ６、又は、ＤＩＲ７を、メイン出力系統、又は、Ｚｏｎｅ２出力系統において使用するためのスイッチ１３と、スイッチ１３を制御するマイクロコンピューター２と、を備える。【選択図】図２
2017130706.tif 000002
【特許請求の範囲】
【請求項１】
第１出力系統と、第２出力系統と、を有する音声処理装置であって、
機器間転送するための規格に従った第１デジタル音声信号を、シリアル転送するための規格に従った第２デジタル音声信号に変換する第１変換部と、
前記第１デジタル音声信号を、前記第２デジタル音声信号に変換する、前記第１変換部よりも性能が劣る第２変換部と、
前記第１変換部、又は、前記第２変換部を、前記第１出力系統、又は、前記第２出力系統において使用するためのスイッチと、
前記スイッチを制御する制御部と、
を備えることを特徴とする音声処理装置。
【請求項２】
前記制御部は、
前記第１出力系統の電源がオフであり、且つ、前記第２出力系統の設定がオンである場合、前記第１変換部が前記第２出力系統において使用されるように、且つ、前記第２変換部が前記第１出力系統において使用されるように、前記スイッチを制御することを特徴とする請求項１に記載の音声処理装置。
【請求項３】
前記制御部は、
前記第１出力系統の電源がオンである場合、前記第１変換部が前記第１出力系統において使用されるように、且つ、前記第２変換部が前記第２出力系統において使用されるように、前記スイッチを制御することを特徴とする請求項１又は２に記載の音声処理装置。
【請求項４】
前記第１デジタル音声信号は、ＳＰＤＩＦ信号であることを特徴とする請求項１〜３のいずれか１項に記載の音声処理装置。
【請求項５】
前記第２デジタル音声信号は、Ｉ２Ｓ信号であることを特徴とする請求項１〜４のいずれか１項に記載の音声処理装置。
【発明の詳細な説明】
【技術分野】
【０００１】
本発明は、デジタル音声信号に音声信号処理を行う音声処理装置に関する。
【背景技術】
【０００２】
デジタル音声信号に、Ｄ／Ａ変換、増幅等の音声信号処理を行う音声処理装置として、ＡＶレシーバーがある。特許文献１に記載のＡＶレシーバーは、デジタル音声信号に音声信号処理を行って、メインルームに配置されているメインスピーカーにアナログ音声信号を出力する（メイン出力系統（第１出力系統））。また、特許文献１に記載のＡＶレシーバーは、デジタル音声信号に音声信号処理を行って、Ｚｏｎｅ２ルーム（サブルーム）に配置されているＺｏｎｅ２スピーカー（サブスピーカー）にアナログ音声信号を出力する（Ｚｏｎｅ２出力系統（第２出力系統））。
【０００３】
ＡＶレシーバーは、例えば、外部装置であるＣＤプレーヤーから出力されたＳＰＤＩＦ信号をＩ２Ｓ信号に変換するＤＩＲ（Digital Audio Interface Receiver）を備えている。上記のように、メインスピーカーとＺｏｎｅ２スピーカーとにアナログ音声信号を出力可能なＡＶレシーバーにおいては、メイン出力系統用のＤＩＲと、Ｚｏｎｅ２出力系統用のＤＩＲと、の２つ以上のＤＩＲが設けられている。
【先行技術文献】
【特許文献】
【０００４】
【特許文献１】特開２０１３−０４６２６５号公報
【発明の概要】
【発明が解決しようとする課題】
【０００５】
２つ以上のＤＩＲを備えるＡＶレシーバーにおいて、コストを抑えるため、メイン出力系統用のＤＩＲとして高価な（性能が良い）ものを用い、Ｚｏｎｅ２出力系統用のＤＩＲとして安価な（性能が悪い）ものを用いることが考えられる。しかしながら、Ｚｏｎｅ２ルームにおいて音声を聴取する機会が少なくなければ、メイン出力系統用の高価なＤＩＲの使用頻度が少なく、十分にメイン出力系統用のＤＩＲを利用できていないという問題が発生する。ユーザーにとっては、ＡＶレシーバーの性能を最大限利用できていないという問題となる。
【０００６】
本発明の目的は、第１出力系統と、第２出力系統と、を有する音声処理装置において、音声処理装置の性能を最大限利用可能とすることである。
【課題を解決するための手段】
【０００７】
第１の発明の音声処理装置は、第１出力系統と、第２出力系統と、を有する音声処理装置であって、機器間転送するための規格に従った第１デジタル音声信号を、シリアル転送するための規格に従った第２デジタル音声信号に変換する第１変換部と、前記第１デジタル音声信号を、前記第２デジタル音声信号に変換する、前記第１変換部よりも性能が劣る第２変換部と、前記第１変換部、又は、前記第２変換部を、前記第１出力系統、又は、前記第２出力系統において使用するためのスイッチと、前記スイッチを制御する制御部と、を備えることを特徴とする。
【０００８】
本発明では、制御部は、第１変換部が、第１出力系統又は第２出力系統において使用されるように、また、第２変換部が、第１出力系統又は第２出力系統において使用されるように、スイッチを制御する。このため、第２出力系統においても、第１変換部を使用することができる。これにより、本発明によれば、性能が良い第１変換部を有効に利用することで、音声処理装置の性能を最大限利用することができる。
【０００９】
第２の発明の音声処理装置は、第１の発明の音声処理装置において、前記制御部は、前記第１出力系統の電源がオフであり、且つ、前記第２出力系統の設定がオンである場合、前記第１変換部が前記第２出力系統において使用されるように、且つ、前記第２変換部が前記第１出力系統において使用されるように、前記スイッチを制御することを特徴とする。
【００１０】
本発明では、制御部は、第１出力系統の電源がオフであり、且つ、第２出力系統の設定がオンである場合、第１変換部が第２出力系統において使用されるように、且つ、第２変換部が第１出力系統において使用されるように、スイッチを制御する。これにより、第１出力系統において第１変換部が使用されていないときに、第２出力系統において第１変換部を使用することができる。
【００１１】
第３の発明の音声処理装置は、第１又は第２の発明の音声処理装置において、前記制御部は、前記第１出力系統の電源がオンである場合、前記第１変換部が前記第１出力系統において使用されるように、且つ、前記第２変換部が前記第２出力系統において使用されるように、前記スイッチを制御することを特徴とする。
【００１２】
第４の発明の音声処理装置は、第１〜第３の発明のいずれかの音声処理装置において、前記第１デジタル音声信号は、ＳＰＤＩＦ信号であることを特徴とする。
【００１３】
第５の発明の音声処理装置は、第１〜第４の発明のいずれかの音声処理装置において、前記第２デジタル音声信号は、Ｉ２Ｓ信号であることを特徴とする。
【発明の効果】
【００１４】
本発明によれば、性能が良い第１変換部を有効に利用することで、音声処理装置の性能を最大限利用することができる。
【図面の簡単な説明】
【００１５】
【図１】本発明の実施形態に係るＡＶレシーバーの構成を示すブロック図である。
【図２】本発明の実施形態に係るＡＶレシーバーの構成を示すブロック図である。
【図３】メイン出力系統の電源状態、Ｚｏｎｅ２出力系統の設定に基づいて、メイン出力系統、Ｚｏｎｅ２出力系統において使用されるＤＩＲを示す図である。
【図４】ＡＶレシーバーの動作を示すフローチャートである。
【発明を実施するための形態】
【００１６】
以下、本発明の実施形態について説明する。図１は、本発明の実施形態に係るＡＶレシーバーの構成を示すブロック図である。ＡＶレシーバー１は、メイン出力系統と、Ｚｏｎｅ２出力系統と、を有する。ＡＶレシーバー１は、デジタル音声信号に音声信号処理を行って、メインルームに配置されているメインスピーカー１０１にアナログ音声信号を出力する（メイン出力系統（第１出力系統））。また、ＡＶレシーバー１は、デジタル音声信号に音声信号処理を行って、Ｚｏｎｅ２ルーム（サブルーム）に配置されているＺｏｎｅ２スピーカー（サブスピーカー）にアナログ音声信号を出力する（Ｚｏｎｅ２出力系統（第２出力系統））。
【００１７】
ＡＶレシーバー１は、例えば、７．１チャンネルのデジタル音声信号に音声信号処理を行うことが可能である。図１に示すように、ＡＶレシーバー１は、マイクロコンピューター２、表示部３、操作部４、セレクター５、ＤＩＲ（Digital Audio Interface Receiver）６、７、ＤＳＰ（Digital Signal Processor）８、Ｄ／Ａコンバーター（以下、「ＤＡＣ」という。）９、１０、スピーカー端子１１、１２、スイッチ１３を備える。
【００１８】
マイクロコンピューター２（制御部）は、ＡＶレシーバー１を構成する各部を制御する。表示部３は、設定画面、音量レベルなどを表示するものである。表示部３は、ＬＣＤ（液晶ディスプレイ）や蛍光表示管等から構成されている。操作部４は、ユーザー操作を受け付けるためのものである。操作部４は、ＡＶレシーバー１の筐体に設けられた操作ボタン、リモートコントローラーにより構成されている。ユーザーは、操作部４を操作することにより、入力される音声信号を、メインスピーカー１０１、Ｚｏｎｅ２スピーカー１０２のいずれに出力するかをＡＶレシーバー１に指示することが可能である。
【００１９】
セレクター５は、例えば、外部装置であるＣＤプレーヤー、ＤＶＤプレーヤー等から出力される音声信号を、メインスピーカー１０１、又は、Ｚｏｎｅ２スピーカー１０２に出力するためのものである。例えば、ＣＤプレーヤーから出力される音声信号を、メインスピーカー１０１から出力させる場合、セレクター５は、ＣＤプレーヤーを、デジタル音声信号入力端子等を介して、メイン出力系統に接続する。メイン出力系統において、ＤＩＲ６が使用される場合、セレクター５は、ＣＤプレーヤーを、デジタル音声信号入力端子等を介して、ＤＩＲ６に接続する。
【００２０】
また、例えば、ＣＤプレーヤーから出力される音声信号を、Ｚｏｎｅ２スピーカー１０２から出力させる場合、セレクター５は、ＣＤプレーヤーを、デジタル音声信号入力端子等を介して、Ｚｏｎｅ２出力系統に接続する。Ｚｏｎｅ２出力系統において、ＤＩＲ７が使用される場合、セレクター５は、ＣＤプレーヤーを、デジタル音声信号入力端子等を介して、ＤＩＲ７に接続する。セレクター５は、マイクロコンピューター２によって制御される。
【００２１】
ＤＩＲ６（第１変換部）は、ＳＰＤＩＦ信号（第１デジタル音声信号）を、Ｉ２Ｓ信号（第２デジタル音声信号）に変換する。ＳＰＤＩＦ信号は、機器間転送するための規格に従ったデジタル音声信号である。Ｉ２Ｓ信号は、シリアル転送するための規格に従ったデジタル音声信号である。ＤＩＲ７（第２変換部）は、ＳＰＤＩＦ信号を、Ｉ２Ｓ信号に変換する。ＤＩＲ７は、ＤＩＲ６よりも性能が劣る。ＤＩＲ６は、ＤＩＲ７よりも高価である。また、ＤＩＲ７は、ＤＩＲ６よりも安価である。変換されたＩ２Ｓ信号は、ＤＳＰ８に出力される。
【００２２】
ＤＳＰ８は、Ｉ２Ｓ信号に、イコライザー処理等のデジタル信号処理を行う。デジタル信号処理が行われたＩ２Ｓ信号は、ＤＡＣ９、又は、ＤＡＣ１０に出力される。ＤＡＣ９、１０は、Ｉ２Ｓ信号をアナログ音声信号にＤ／Ａ変換する。ＤＡＣ９は、メイン出力系統に含まれ、メインスピーカー１０１に出力される音声信号用である。ＤＡＣ９によりＤ／Ａ変換されたアナログ音声信号は、スピーカー端子１１に出力される。スピーカー端子１１は、メインスピーカー１０１用である。スピーカー端子１１には、メインスピーカー１０１が接続されている。メインスピーカー１０１は、アナログ音声信号に基づいて、音声を出力する。
【００２３】
ＤＡＣ１０は、Ｚｏｎｅ２出力系統に含まれ、Ｚｏｎｅ２スピーカー１０２に出力される音声信号用である。ＤＡＣ１０によりＤ／Ａ変換されたアナログ音声信号は、スピーカー端子１２に出力される。スピーカー端子１２は、Ｚｏｎｅ２スピーカー１０２用である。スピーカー端子１２には、Ｚｏｎｅ２スピーカー１０２が接続されている。Ｚｏｎｅ２スピーカー１０２は、アナログ音声信号に基づいて、音声を出力する。
【００２４】
スイッチ１３は、ＤＩＲ６、又は、ＤＩＲ７を、メイン出力系統、又は、Ｚｏｎｅ２出力系統において使用するためのものである。ＤＩＲ６をメイン出力系統において使用する場合、スイッチ１３は、図１に示すように、ＤＩＲ６を、ＤＳＰ８のメイン出力系統用のポートに接続する。また、ＤＩＲ７をＺｏｎｅ２出力系統において使用する場合、スイッチ１３は、図１に示すように、ＤＩＲ７を、ＤＳＰ８のＺｏｎｅ２出力系統用のポートに接続する。
【００２５】
ＤＩＲ６をＺｏｎｅ２出力系統において使用する場合、スイッチ１３は、図２に示すように、ＤＩＲ６を、ＤＳＰ８のＺｏｎｅ２出力系統用のポートに接続する。また、ＤＩＲ７をメイン出力系統において使用する場合、スイッチ１３は、図２に示すように、ＤＩＲ７を、ＤＳＰ８のメイン出力系統用のポートに接続する。
【００２６】
スイッチ１３は、マイクロコンピューター２によって制御される。マイクロコンピューター２は、メイン出力系統の電源のオン／オフ、Ｚｏｎｅ２出力系統の設定のオン／オフに基づいて、スイッチ１３を制御する。メイン出力系統の電源がオンである場合、マイクロコンピューター２は、ＤＩＲ６がメイン出力系統において使用されるように、スイッチ１３を制御する。具体的には、図１に示すように、マイクロコンピューター２は、スイッチ１３により、ＤＩＲ６を、ＤＳＰ８のメイン出力系統用のポートに接続する。また、マイクロコンピューター２は、ＤＩＲ７がＺｏｎｅ２出力系統において使用されるように、スイッチ１３を制御する。具体的には、図１に示すように、マイクロコンピューター２は、スイッチ１３により、ＤＩＲ７を、Ｚｏｎｅ２出力系統用のポートに接続する。
【００２７】
メイン出力系統用の電源がオフであり、且つ、Ｚｏｎｅ２出力系統用の設定がオンである場合、マイクロコンピューター２は、ＤＩＲ６がＺｏｎｅ２出力系統において使用されるように、スイッチ１３を制御する。具体的には、マイクロコンピューター２は、図２に示すように、スイッチ１３により、ＤＩＲ６を、ＤＳＰ８のＺｏｎｅ２出力系統用のポートに接続する。また、マイクロコンピューター２は、ＤＩＲ７がメイン出力系統において使用されるように、スイッチ１３を制御する。具体的には、マイクロコンピューター２は、図２に示すように、スイッチ１３により、ＤＩＲ７を、ＤＳＰ８のメイン出力系統用のポートに接続する。
【００２８】
図３は、メイン出力系統の電源状態、Ｚｏｎｅ２出力系統の設定に基づいて、メイン出力系統、Ｚｏｎｅ２出力系統において使用されるＤＩＲ６、７を示す図である。
【００２９】
以下、ＡＶレシーバー１の動作を図４に示すフローチャートに基づいて説明する。マイクロコンピューター２は、メイン出力系統の電源がオンであるか否かを判断する（Ｓ１）。マイクロコンピューター２は、メイン出力系統の電源がオンであると判断した場合（Ｓ１：Ｙｅｓ）、Ｚｏｎｅ２出力系統の設定がオンであるか否かを判断する（Ｓ２）。マイクロコンピューター２は、Ｚｏｎｅ２出力系統の設定がオンであると判断した場合（Ｓ２：Ｙｅｓ）、ＤＩＲ６がメイン出力系統において使用されるように、且つ、ＤＩＲ７がＺｏｎｅ２出力系統において使用されるように、スイッチ１３を制御する（Ｓ３）。
【００３０】
マイクロコンピューター２は、Ｚｏｎｅ２出力系統の設定がオンでない、すなわち、オフであると判断した場合（Ｓ２：Ｎｏ）、ＤＩＲ６がメイン出力系統において使用されるように、且つ、ＤＩＲ７がＺｏｎｅ２出力系統において使用されるように、スイッチ１３を制御する（Ｓ４）。
【００３１】
マイクロコンピューター２は、メイン出力系統の電源がオンでない、すなわち、オフであると判断した場合（Ｓ１：Ｎｏ）、Ｚｏｎｅ２出力系統の設定がオンであるか否かを判断する（Ｓ５）。マイクロコンピューター２は、Ｚｏｎｅ２出力系統の設定がオンであると判断した場合（Ｓ５：Ｙｅｓ）、ＤＩＲ６がＺｏｎｅ２出力系統において使用されるように、且つ、ＤＩＲ７がメイン出力系統において使用されるように、スイッチ１３を制御する（Ｓ６）。
【００３２】
マイクロコンピューター２は、Ｚｏｎｅ２出力系統の設定がオンでない、すなわち、オフであると判断した場合（Ｓ５：Ｎｏ）、ＤＩＲ６がメイン出力系統において使用されるように、且つ、ＤＩＲ７がＺｏｎｅ２出力系統において使用されるように、スイッチ１３を制御する（Ｓ７）。
【００３３】
以上説明したように、本実施形態においては、マイクロコンピューター２は、ＤＩＲ６が、メイン出力系統又はＺｏｎｅ２出力系統において使用されるように、また、ＤＩＲ７が、メイン出力系統又はＺｏｎｅ２出力系統において使用されるように、スイッチ１３を制御する。このため、Ｚｏｎｅ２出力系統においても、ＤＩＲ６を使用することができる。これにより、本実施形態によれば、性能が良いＤＩＲ６を有効に利用することで、ＡＶレシーバー１の性能を最大限利用することができる。
【００３４】
また、本実施形態では、マイクロコンピューター２は、メイン出力系統の電源がオフであり、且つ、Ｚｏｎｅ２出力系統の設定がオンである場合、ＤＩＲ６がＺｏｎｅ２出力系統において使用されるように、且つ、ＤＩＲ７がメイン出力系統において使用されるように、スイッチ１３を制御する。これにより、メイン出力系統においてＤＩＲ６が使用されていないときに、Ｚｏｎｅ２出力系統においてＤＩＲ６を使用することができる。
【００３５】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３６】
上述の実施形態においては、ＤＩＲ６、７は、２つである。これに限らず、ＤＩＲは、３つ以上であってもよい。
【００３７】
上述の実施形態においては、音声処理装置として、ＡＶレシーバーを例示した。これに限らず、他の音声処理装置であってもよい。
【産業上の利用可能性】
【００３８】
本発明は、デジタル音声信号に音声信号処理を行う音声処理装置に好適に採用され得る。
【符号の説明】
【００３９】
１  ＡＶレシーバー（音声処理装置）
２  マイクロコンピューター（制御部）
５  セレクター
６  ＤＩＲ（第１変換部）
７  ＤＩＲ（第２変換部）
８  ＤＳＰ
９、１０  ＤＡＣ
１０１  メインスピーカー
１０２  Ｚｏｎｅ２スピーカー
【図１】
2017130706.tif 000003
【図２】
2017130706.tif 000004
【図３】
2017130706.tif 000005
【図４】
2017130706.tif 000006